(57)【特許請求の範囲】
【請求項１】
筐体内に、データを記憶するために挿入される記録装置ユニットであって、
回路基板上に設けられた不揮発性メモリと、
前記不揮発性メモリを破壊可能な破壊部品と、を備え、
前記破壊部品は、前記記録装置ユニットを前記筐体から取り外す際に、該記録装置ユニットの移動により生じる機械的な力によって前記不揮発性メモリに穿孔するまたは前記不揮発性メモリを切断する、
ことを特徴とする記録装置ユニット。
【請求項２】
前記破壊部品は、複数の前記不揮発性メモリの夫々に対して、該不揮発性メモリの前記回路基板側とは反対側の面に対向する位置に設けられており、
前記記録装置ユニットを前記筐体から取り外す際に、該記録装置ユニットの移動により生じる機械的な力によって、対応する前記不揮発性メモリに穿孔する、
ことを特徴とする請求項１に記載の記録装置ユニット。
【請求項３】
前記記録装置ユニットは、支持部材を備え、
前記破壊部品は、軸部と頭部とを有する螺子状の形状を有しており、
前記軸部は、前記記録装置ユニットに対して穿孔する尖端部を有し、
前記頭部には、外歯が形成された歯車形状を有しており、
前記支持部材は、前記外歯と咬合する歯を有し、前記筐体への挿入方向に平行な棒状であり、前記記録装置ユニットが筐体内に挿入されると該筐体に係止されるように設けられており、
前記記録装置ユニットを前記筐体から取り外す際に、該記録装置ユニットの移動に連動して、係止された前記支持部材の前記歯と咬合する前記外歯を有する前記破壊部品が回転しながら前記不揮発性メモリに向かって移動し、前記不揮発性メモリに穿孔する、ことを特徴とする請求項２に記載の記録装置ユニット。
【請求項４】
前記記録装置ユニットは、前記筐体への挿入方向に平行な棒状であり、複数の前記不揮発性メモリがなす列ごとに設けられ、該不揮発性メモリの前記回路基板側とは反対側の面が該反対側の面の方向から見た際に重なる位置に設けられ、且つ、前記記録装置ユニットが筐体内に挿入されると該筐体に係止されるように設けられた支持部材を備え、
前記破壊部品は、前記支持部材における、該破壊部品が前記不揮発性メモリよりも、前記筐体に設けられた記録装置ユニットの挿入口に近い位置に設けられており、
前記記録装置ユニットを前記筐体から取り外す際に、前記不揮発性メモリが係止された前記支持部材に設けられた前記破壊部品とぶつかり、該破壊部品は、前記不揮発性メモリを切断する、
ことを特徴とする請求項１に記載の記録装置ユニット。
【請求項５】
筐体と、該筐体内にデータを記憶するために挿入される記録装置ユニットと、を備え、
前記記録装置ユニットは、
回路基板上に設けられた不揮発性メモリと、
前記不揮発性メモリを破壊可能な破壊部品と、
支持部材と、を備え、
前記筐体は前記記録装置ユニットが該筐体内に挿入されると該筐体に該記録装置ユニットを係止する係止部材を備え、
前記支持部材は前記筐体への挿入方向に平行な棒状であり、前記係止部材に係止されるように設けられており、
前記記録装置ユニットを前記筐体から取り外す際に、該記録装置ユニットの移動に連動して、前記不揮発性メモリに穿孔するまたは前記不揮発性メモリを切断する、装置。
【発明の詳細な説明】
【技術分野】
【０００１】
本発明は、物理的に不揮発性メモリを破壊する記録装置ユニットおよび装置に関する。
【背景技術】
【０００２】
ユーザーデータの流出は企業活動に致命的なダメージを与えるものであり、近年、データの保護および管理は非常に重要な問題となっている。その為、万一のデータ流出を防ぐために、強固な暗号化セキュリティが施されているディスクアレイ装置が提案されている。
【０００３】
このため暗号化の手法によりデータ流出を防ぐ方法がある。しかしながら、この方法では暗号化セキュリティを解読された場合は情報流出を防ぐことはできない。
【０００４】
そこで、ディスクアレイ装置などに搭載された記録装置ユニットを物理的に破壊する方法が提案されている（特許文献１および特許文献２）。
【０００５】
また、ハードディスクを、悪意を持って抜きとられる場合の対策として、上記記録装置ユニットを、化学薬品を用いて記憶装置を破壊する方法（特許文献３）や、ハードディスクドライブに高電圧を印加して破壊する方法（特許文献４）が提案されている。
【０００６】
また、例えば、ハードディスク装置が接続先装置から抜去される際に、液体または気体を散布することにより、記録媒体に書き込まれたデータを消去する記録装置が提案されている（特許文献５）。
【０００７】
また、ＵＳＢ（Ｕｎｉｖｅｒｓａｌ  Ｓｅｒｉａｌ  Ｂｕｓ）メモリを引き抜く際に、引き抜く力を利用して、酸などの薬液が入ったカプセルを破壊することにより、メモリを破壊する方法が記載されている（特許文献６）。
【０００８】
また、ユーザが帯同する小さく持ち運びやすい筐体内にデータ記録媒体を破壊する機構を組み込む方法が記載されている（特許文献７）。
【先行技術文献】
【特許文献】
【０００９】
【特許文献１】特開２０１３−２７９５６号公報
【特許文献２】特開２０１４−１６６５９９号公報
【特許文献３】特表２００６−５２４８６１号公報
【特許文献４】特開２００６−２０９２３２号公報
【特許文献５】特開２０１２−７９１７２号公報
【特許文献６】特開２０１１−１１８８３６号公報
【特許文献７】実用新案登録第３１３６８３８号公報
【発明の概要】
【発明が解決しようとする課題】
【００１０】
しかしながら、特許文献１および２に記載の技術では、記録装置ユニットを取り外した後に該取り外した記録装置ユニットを破壊するため、悪意を持って該記録装置ユニットを取り外される場合の情報流出を防ぐことができない。
【００１１】
また特許文献３および４に記載の技術では、電気的な手段を利用するため、電気的な手段がない（例えば、停電など）場合は、記憶装置ユニットの破壊を実行することができない。
【００１２】
近年のディスクアレイ装置では、ハードディスクドライブに変わるものとしてＳＳＤ（Ｓｏｌｉｄ  Ｓｔａｔｅ  Ｄｒｉｖｅ）の使用が増えてきている。しかしＳＳＤに含まれるフラッシュメモリ等の半導体部品は、特許文献１に記載されている通り、モールド樹脂で封止されている。このモールド樹脂の性能向上により、薬品等ではこのＳＳＤ内のメモリは容易に破壊できなくなっている。このように、ＳＳＤ内のメモリは、液体や気体では破壊することが出来ないため、特許文献５および６に記載の技術では、このＳＳＤに書き込まれたデータを消去することができない。
【００１３】
また、特許文献６および７に記載の技術は小型の記憶媒体に関連する技術であり、ＳＳＤ等を利用した大型の記録装置ユニットには、適用することが難しい。
【００１４】
更に、特許文献７に記載の技術は、データ記録媒体を筐体から取り外さないことを前提としている。また、特許文献７に記載の技術はボタンまたはレバー操作を行わないとメモリを破壊できない。そのため、特許文献７に記載の技術を、ＳＳＤ等を利用した大型の記録装置ユニットに適用したとしても、ボタンまたはレバー操作を行わない限り記録装置ユニットが破壊されないため、情報流出を防ぐことができない。
【００１５】
本発明の目的は、より適切にメモリを物理的に破壊する技術を提案することにある。
【課題を解決するための手段】
【００１６】
本発明の一態様に係る記録装置ユニットは、筐体内に、データを記憶するために挿入される記録装置ユニットであって、回路基板上に設けられた不揮発性メモリと、前記不揮発性メモリを破壊可能な破壊部品と、を備え、前記破壊部品は、前記記録装置ユニットを前記筐体から取り外す際に、該記録装置ユニットの移動に連動して前記不揮発性メモリに穿孔するまたは前記不揮発性メモリを切断する。
【００１７】
また、本発明の一態様に係る装置は、筐体と、該筐体内にデータを記憶するために挿入される記録装置ユニットと、を備え、前記記録装置ユニットは、回路基板上に設けられた不揮発性メモリと、前記不揮発性メモリを破壊可能な破壊部品と、支持部材と、を備え、前記筐体は前記記録装置ユニットが該筐体内に挿入されると該筐体に該記録装置ユニットを係止する係止部材を備え、前記支持部材は前記筐体への挿入方向に平行な棒状であり、前記係止部材に係止されるように設けられており、前記記録装置ユニットを前記筐体から取り外す際に、該記録装置ユニットの移動に連動して、前記不揮発性メモリに穿孔するまたは前記不揮発性メモリを切断する。
【発明の効果】
【００１８】
本開示によれば、より適切にメモリを物理的に破壊することができる。
【図面の簡単な説明】
【００１９】
【図１】第１の実施の形態に係る記録装置ユニットの構成の一例を示す図である。
【図２】第２の実施の形態に係るディスクアレイ装置の全体構成の一例を示す図である。
【図３】記録装置ユニットが筐体に収納された状態における、図２のＡ矢示透視図である。
【図４】図３のＢ−Ｂ線矢示断面図である。
【図５】図３の状態から記録装置ユニットが筐体から引き出される際の記録装置ユニットの内部状態を上面から見た場合の図である。
【図６】記録装置ユニットが筐体から引き出される場合の記録装置ユニットの内部状態を説明するための図である。
【図７】記録装置ユニットが筐体に収納された状態における、図２のＡ矢示透視図の別の例である。
【図８】図７のＣ−Ｃ線矢示断面図である。
【図９】記録装置ユニットが筐体に収納された状態における、図２のＡ矢示透視図の他の例である。
【図１０】図９のＤ矢示透視図である。
【図１１】図９のＥ矢示透視図である。
【図１２】記録装置ユニットが筐体から引き出される場合の記録装置ユニットの内部状態を説明するための図である。
【発明を実施するための形態】
【００２０】
＜第１の実施の形態＞
本発明の第１の実施の形態について、図１を参照して説明する。図１は、本実施の形態に係る記録装置ユニット１０の構成の一例を示す図である。本実施の形態に係る記録装置ユニット１０は、ディスクアレイ装置などの筐体に、データを記憶するために挿入される装置である。記録装置ユニット１０は、回路基板１１上に設けられた不揮発性メモリ１２と、不揮発性メモリ１２を破壊可能な破壊部品１３と、を備える。
【００２１】
破壊部品１３は、記録装置ユニット１０を筐体から取り外す際に、該記録装置ユニット１０の移動に連動して不揮発性メモリ１２に穿孔するまたは不揮発性メモリ１２を切断する。例えば、破壊部品１３は、記録装置ユニット１０を筐体から取り外す際に、記録装置ユニット１０の移動（図１においては左方向への移動）に応じて、不揮発性メモリ１２に穴が空くように動き、不揮発性メモリ１２を破壊する。あるいは、例えば、破壊部品１３は、記録装置ユニット１０を筐体から取り外す際に、記録装置ユニット１０の移動に応じて、不揮発性メモリ１２を切断することにより、不揮発性メモリ１２を破壊する。
【００２２】
これにより、本実施の形態に係る記録装置ユニット１０は、電気的な動力なしに、メモリを物理的に破壊することができる。また、破壊部品１３は、記録装置ユニット１０内に構成されているため、記録装置ユニット１０が取り外された際には、不揮発性メモリ１２は破壊されている。これにより、悪意を持って記録装置ユニット１０が取り外された場合であっても、情報流出を防ぐことができる。
【００２３】
＜第２の実施の形態＞
次に、上述した第１の実施の形態を基礎とする第２の実施の形態について、図面を参照して説明する。
【００２４】
図２は、本実施の形態に係るディスクアレイ装置の全体構成の一例を示す図である。ディスクアレイ装置１は、筐体３内に記録装置ユニット２を収納し、大容量の記憶装置として機能するストレージ装置である。筐体３は、記録装置ユニット２が挿入されるための挿入口３２を有している。なお、説明の便宜上、ディスクアレイ装置１の筐体３に収納可能な記録装置ユニット２の数を１つであるとして説明するが、記録装置ユニット２の数は複数であってもよい。図２のｚ軸正方向に記録装置ユニット２を挿入することにより、筐体３は、該記録装置ユニット２を内部に収納する。
【００２５】
次に、記録装置ユニット２の内部構成について説明する。図３は、記録装置ユニット２が筐体３に収納された状態における、図２のＡ矢示透視図である。また、図４は、図３におけるＢ−Ｂ線矢示断面図である。
【００２６】
図３および図４は、筐体３に記録装置ユニット２が収納されている状態である。本実施の形態における、記録装置ユニット２は、ＳＳＤを含んで構成されている。具体的には、記録装置ユニット２は、ＳＳＤとして、回路基板２１と、不揮発性メモリであるフラッシュメモリ２２と、筐体２６とを含む。回路基板２１は、筐体２６内に設けられている。回路基板２１上には複数のフラッシュメモリ２２が搭載されている。なお、図２および図３は、本発明に特有の構成について説明したものであり、回路基板２１上にＳＳＤを構成する部材として、例えば、ＳＳＤコントローラ等が搭載されていてもよいことは言うまでもない。フラッシュメモリ２２は、各種データを記憶する。
【００２７】
図３では、フラッシュメモリ２２を回路基板２１上に、４行２列に並べて搭載しているが、フラッシュメモリ２２の搭載位置および搭載数はこれに限定されない。
【００２８】
フラッシュメモリ２２の回路基板２１側とは反対側（つまり、フラッシュメモリ２２のｙ軸正方向に対向する位置）には、フラッシュメモリ２２毎に、破壊部品２４が設けられている。図３に示す記録装置ユニット２には８つのフラッシュメモリ２２が含まれるため、破壊部品２４も８つ設けられている。
【００２９】
この破壊部品２４は、軸部２３と頭部２４１とを有する螺子状の部品である。頭部２４１は、歯車の形状を有している。つまり頭部２４１は、外周に外歯２４２が形成された歯車である。また、軸部２３の先端側には尖端部２３２が形成されている。また、軸部２３は、円錐面に沿って螺旋状の溝２３１が形成されている。この螺旋状の溝２３１は、頭部２４１の回転に応じて破壊部品２４が上下に移動するように形成されている。図４においては、右側の破壊部品２４に形成された溝２３１は、左螺子状に、左側の破壊部品２４に形成された溝２３１は、右螺子状に、夫々形成されている。尖端部２３２は、フラッシュメモリ２２が破壊できる形状であればよく、尖った形状でなくてもよい。また、記録装置ユニット２がディスクアレイ装置１に挿入された状態では、破壊部品２４は、尖端部２３２がフラッシュメモリ２２に接触しない位置に設けられている。また破壊部品２４は、フラッシュメモリ２２を破壊できるような剛体で形成されている。
【００３０】
筐体２６には、破壊部品２４の軸部２３が筐体２６内部に位置するように、開口２６１が形成されている。開口２６１は、各破壊部品２４の軸部２３に対応する孔であってもよいし、これらの孔が連なった形状であってもよい。開口２６１は、破壊部品２４の頭部２４１が、筐体２６の内部に存在しないような形状、且つ、頭部２４１の回転によって、軸部２３が、フラッシュメモリ２２に向かって移動する形状であればよい。例えば、筐体２６が所定の厚みを有している場合、開口２６１は溝２３１と螺合するねじ孔であってもよい。
【００３１】
支持部材２５は、記録装置ユニット２の挿抜方向に平行な棒状の部材である。支持部材２５は例えば、平板形状を有している。支持部材２５は、頭部２４１の外歯２４２と噛合する歯２５１が挿抜方向に設けられている。支持部材２５は、複数の破壊部品２４を含む列ごとに設けられており、且つ、支持部材２５の歯２５１が列をなす複数の破壊部品２４の外歯２４２の夫々と噛合する位置に形成されている。また、支持部材２５のｚ軸正方向側の端部（記録装置ユニット２をディスクアレイ装置１に挿入する方向の端部）２５２は、該支持部材２５がディスクアレイ装置１の筐体３に係止されるような形状を有している。端部２５２の形状はどのような形状であってもよく、支持部材２５が筐体３に係止される形状であればよい。また、図３に示すように、筐体３に支持部材２５を係止するための係止部材３１が設けられている場合、端部２５２はこの係止部材３１に係止される形状であればよい。
【００３２】
次に、記録装置ユニット２が筐体３から引き出される場合の記録装置ユニット２の状態について説明する。図５は、図３の状態から記録装置ユニット２が筐体３から引き出される際の記録装置ユニット２の内部状態を上面から見た場合の図である。また、図６は、記録装置ユニット２が筐体３から引き出される場合の記録装置ユニット２の内部状態を説明するための図である。
【００３３】
記録装置ユニット２を筐体３から引き出すと、支持部材２５が筐体３に係止されているため、支持部材２５の歯２５１と咬合する外歯２４２を有する頭部２４１が回転する。破壊部品２４の軸部２３には、上述した通り、溝２３１が形成されているため、破壊部品２４が回転することにより、軸部２３とかみ合う筐体２６の開口２６１から、軸部２３がフラッシュメモリ２２に向かって移動する。つまり、破壊部品２４は、図６に示す通り、フラッシュメモリ２２に向かって回転しながら移動する。これにより、破壊部品２４は、フラッシュメモリ２２を穿孔し、フラッシュメモリ２２を物理的に破壊する。
【００３４】
これにより、本実施の形態に係る記録装置ユニット２は、電気的な動力なしに、メモリを物理的に破壊することができる。また、破壊部品２４は、記録装置ユニット２内に構成されているため、記録装置ユニット２が取り外された際には、フラッシュメモリ２２は破壊されている。これにより、悪意を持って記録装置ユニット２が取り外された場合であっても、情報流出を防ぐことができる。
【００３５】
また、上述したように、本実施の形態に係る記録装置ユニット２の構成は、シンプルであるため、記録装置ユニット２の設計者が引き抜いた際に、破壊部品２４がフラッシュメモリ２２を完全に貫通するようにチューニングすることも容易である。
【００３６】
なお、図３においては、支持部材２５が、ｘ軸上において、破壊部品２４を挟むように設けられていたが、支持部材２５の位置はこれに限定されない。例えば、支持部材２５は、図７に示すように、歯２５１が同じ向き（図７の場合、ｘ軸正方向）になる位置に設けられていてもよい。図７は、記録装置ユニット２が筐体３に収納された状態における、図２のＡ矢示透視図の他の例であり、図８は、図７におけるＣ−Ｃ線矢示断面図である。図７および図８のように、支持部材２５を設けることにより、破壊部品２４の回転方向は、全て同じ方向になる。したがって、図８に示す通り、軸部２３の溝２３１の形状も、右側の破壊部品２４と左側の破壊部品２４とで同じ状態にすることができる。これにより、破壊部品２４の形状を意識することなく記録装置ユニット２を製作することができ、且つ、左右違う部品を使用する必要が無いため、コストを低減させることができる。
【００３７】
＜第３の実施の形態＞
次に、本開示の他の実施の形態について説明する。本実施の形態に係る記録装置ユニット２も、上述した第２の実施の形態と同様に、ディスクアレイ装置１の筐体３内に収容される装置である。なお、説明の便宜上、上述した第２の実施の形態において説明した部材と同様の部材は、同じ符号を付し、その説明を省略する。
【００３８】
図９は、記録装置ユニット２が筐体３に収納された状態における、図２のＡ矢示透視図の例である。また、図１０は、図９のＤ矢示透視図である。図１１は、図９のＥ矢示透視図である。
【００３９】
図３と同様に、本実施の形態において記録装置ユニット２は、筐体２６と筐体２６内に設けられた回路基板２１と、回路基板２１上に配置された複数のフラッシュメモリ２２とを含む。フラッシュメモリ２２の上部（ｙ軸正方向方面）には、支持部材２７が設けられている。支持部材２７は支持部材２５と同様に、記録装置ユニット２の挿抜方向に平行な棒状の部材である。支持部材２７は例えば、平板形状を有している。また、支持部材２７のｚ軸正方向側の端部（記録装置ユニット２をディスクアレイ装置１に挿入する方向の端部）２７２は、該支持部材２７がディスクアレイ装置１の筐体３に係止されるような形状を有している。端部２７２の形状はどのような形状であってもよく、支持部材２７が筐体３に係止される形状であればよい。また、図９に示すように、筐体３に支持部材２７を係止するための係止部材３１が設けられている場合、端部２７２はこの係止部材３１に係止される形状であればよい。また、支持部材２７は、複数のフラッシュメモリ２２を含む列ごとに設けられている。支持部材２７は、ｙ軸正方向から見た場合に、複数のフラッシュメモリ２２の面と支持部材２７が重なるように、設けられている。例えば、支持部材２７は、ｙ軸正方向から見た場合に、複数のフラッシュメモリ２２の略中心が通る線上に設けられている。なお、支持部材２７の位置はこれに限定されず、支持部材２７によって、フラッシュメモリ２２が破壊可能な位置であればよい。
【００４０】
また、支持部材２７の他端（記録装置ユニット２をディスクアレイ装置１から抜き出す側の端部）には、破壊部品２７１が設けられている。破壊部品２７１は、筐体２６内に位置するように設けられている。破壊部品２７１は、ｚ軸上において、筐体３の挿入口３２にフラッシュメモリ２２よりも近い位置に設けられていればよく、支持部材２７の他端よりも、端部２７２側に近い位置に設けられていてもよい。また、破壊部品２７１は、図１０および図１１に示すように、列をなして設けられているフラッシュメモリ２２と同じ列のｚ軸負方向側に設けられている。破壊部品２７１は、フラッシュメモリ２２がｚ軸に水平に移動して、破壊部品２７１の位置まで到着した際にフラッシュメモリ２２に衝突し、該フラッシュメモリ２２を切断することにより、該フラッシュメモリ２２を破壊できる位置に設けられている。破壊部品２７１の形状は、フラッシュメモリ２２を破壊できる形状であればよい。例えば、破壊部品２７１は、フラッシュメモリ２２を破壊できるような鋭利な剛体で形成されていてもよい。
【００４１】
次に、記録装置ユニット２が筐体３から引き出される場合の記録装置ユニット２の状態について説明する。図１２は、図１１の状態から記録装置ユニット２が筐体３から引き出される際の記録装置ユニット２の内部状態を説明するための図である。
【００４２】
記録装置ユニット２を筐体３から引き出すと、支持部材２７が筐体３に係止されているため、支持部材２７の破壊部品２７１は筐体３内に留まり、記録装置ユニット２が筐体３の外部に移動する。これにより、破壊部品２７１は、図１２に示す通り、フラッシュメモリ２２に衝突し、フラッシュメモリ２２を物理的に破壊する。破壊部品２７１は、例えば、フラッシュメモリ２２を切断することができる。
【００４３】
本実施の形態に係る記録装置ユニット２は、上述した第２の実施の形態に係る記録装置ユニット２と同様の効果を奏することができる。つまり、これにより、本実施の形態に係る記録装置ユニット２は、電気的な動力なしに、メモリを物理的に破壊することができる。また、破壊部品２４は、記録装置ユニット２内に構成されているため、記録装置ユニット２が取り外された際には、フラッシュメモリ２２は破壊されている。これにより、悪意を持って記録装置ユニット２が取り外された場合であっても、情報流出を防ぐことができる。
【００４４】
なお、上述した各実施の形態は、本発明の好適な実施の形態であり、上記各実施の形態にのみ本発明の範囲を限定するものではなく、本発明の要旨を逸脱しない範囲において当業者が上記各実施の形態の修正や代用を行い、種々の変更を施した形態を構築することが可能である。
【００４５】
本開示における各実施の形態において説明した記録装置ユニット２は、サーバーやストレージなどのコンピュータ製品、業務用プリンターなどのＳＳＤメモリを挿入して使用する電子機器、その他ケースに挿入するＳＳＤを使用した記憶装置ユニット等に好適に適用することができる。
【符号の説明】
【００４６】
１    ディスクアレイ装置
２    記録装置ユニット
３    筐体
１０    記録装置ユニット
１１    回路基板
１２    不揮発性メモリ
１３    破壊部品
２１    回路基板
２２    フラッシュメモリ
２３    軸部
２３１    溝
２３２    尖端部
２４    破壊部品
２４１    頭部
２４２    外歯
２５    支持部材
２５１    歯
２５２    端部
２６    筐体
２６１    開口
３１    係止部材
３２    挿入口
【図１】
0006380431.tif 000002
【図２】
0006380431.tif 000003
【図３】
0006380431.tif 000004
【図４】
0006380431.tif 000005
【図５】
0006380431.tif 000006
【図６】
0006380431.tif 000007
【図７】
0006380431.tif 000008
【図８】
0006380431.tif 000009
【図９】
0006380431.tif 000010
【図１０】
0006380431.tif 000011
【図１１】
0006380431.tif 000012
【図１２】
0006380431.tif 000013